(57)【要約】【課題】常に、使用者自身の好みに合った食感のご飯を炊飯できる炊飯器を提供することを目的とする。【解決手段】調理物７の重量を検知する重量検知手段８の信号をデータとして読み込み且つ加熱手段５の通電を制御する制御手段９と、重量検知手段８の信号データを記憶すると共に米重量と水重量のデータより算出した加水比データを使用者の操作により任意に書き換え可能とした不揮発性メモリーにより構成した記憶装置１２と、加水比データより算出した予測重量と使用時における実重量の差を報知する重量報知手段１４とを設けた。これにより、重量報知手段１４の報知内容にしたがい使用者が水量を微調整することができ、常に、使用者自身の好みに合った食感のご飯を炊飯できるものである。【選択図】図１
2005131222.tif 000002
【特許請求の範囲】
【請求項１】
炊飯器本体と、炊飯器本体に着脱自在に収納される鍋と、鍋を加熱する加熱手段と、調理物の重量を検知する重量検知手段と、重量検知手段の信号をデータとして読み込み且つ加熱手段の通電を制御する制御手段と、重量検知手段の信号データを記憶すると共に米重量と水重量のデータより算出した加水比データを使用者の操作により任意に書き換え可能とした不揮発性メモリーにより構成した記憶装置と、加水比データより算出した予測重量と使用時における実重量の差を報知する重量報知手段とを設けた炊飯器。
【請求項２】
記憶装置は、少なくとも１水準の米重量を使用者の操作により任意に書き換え可能とした請求項１に記載の炊飯器。
【請求項３】
米の種類を設定する米種設定手段を設け、記憶装置は米の種類により異なる加水比データを使用者の操作により任意に設定可能とした請求項１または２に記載の炊飯器。
【請求項４】
カレンダー時計と、カレンダー時計の日情報に基づいて米の含水率を演算する米含水率推定手段を設け、米含水率推定手段は通常設定している水量を補正する請求項１〜３のいずれか１項に記載の炊飯器。
【請求項５】
米計量を指示入力する米計量ボタンを有し、米計量ボタンを操作した炊飯機会のみ、計量された米量と使用者が通常設定している加水比データより算出される予測重量と実重量の差を報知するようにした請求項１〜４のいずれか１項に記載の炊飯器。
【発明の詳細な説明】
【技術分野】
【０００１】
本発明は、一般家庭において使用される炊飯器に関するものである。
【背景技術】
【０００２】
従来、米および水の重量を計測できる炊飯器としては、炊飯器本体または鍋の重量を検知し、米の重量（米量や炊飯量ともいう）に対して適正な水の重量（水量ともいう）であるかを判定し、結果を表示することにより、米の重量と水の重量の割合（水加減や加水比ともいう）を安定させるものが知られている（例えば、特許文献１参照）。
【０００３】
このような炊飯器では、米と水の重量から炊飯量を検知し、炊飯開始とともに炊飯量に最適な電力を鍋加熱手段に供給し、鍋の温度と火力を制御する炊飯プログラム（炊飯シーケンス）を運転する。これにより誰でも簡単にご飯が炊けるので、使い勝手がよい上に炊飯性能も安定している。
【特許文献１】特公平１−０２７７２４号公報
【発明の開示】
【発明が解決しようとする課題】
【０００４】
しかしながら、前記従来の構成では、毎回米量と水量の双方を計る必要があり煩雑である。また、米量と水量の割合を一定にして炊飯するので、ご飯の食感は安定するものの、使用者が好みとする食感であるとは限らない。また、使用者によりほぼ一定の手順があるものの、炊飯の準備としての米とぎ作業における水温、米とぎの回数や方法、その後の水切り時間や浸漬時間が異なる。すなわち、使用者により炊飯開始条件は異なるのである。
【０００５】
さらに、米は季節や精米後の保存日数により、含水率や物性が変化する。これらは望ましい食感を得る加水比に影響する要因である。したがって、常に、使用者自身の好みに合った食感のご飯を炊飯できるものではなかった。
【０００６】
本発明は、前記従来の課題を解決するもので、常に、使用者自身の好みに合った食感のご飯を炊飯できる炊飯器を提供することを目的とする。
【課題を解決するための手段】
【０００７】
前記従来の課題を解決するために、本発明の炊飯器は、調理物の重量を検知する重量検知手段の信号をデータとして読み込み且つ加熱手段の通電を制御する制御手段と、重量検知手段の信号データを記憶すると共に米重量と水重量のデータより算出した加水比データを使用者の操作により任意に書き換え可能とした不揮発性メモリーにより構成した記憶装置と、加水比データより算出した予測重量と使用時における実重量の差を報知する重量報知手段とを設けたものである。
【０００８】
これにより、重量報知手段の報知内容にしたがい使用者が水量を微調整することができ、常に、使用者自身の好みに合った食感のご飯を炊飯できるものである。
【発明の効果】
【０００９】
本発明の炊飯器は、常に、使用者自身の好みに合った食感のご飯を炊飯できる。
【発明を実施するための最良の形態】
【００１０】
第１の発明は、炊飯器本体と、炊飯器本体に着脱自在に収納される鍋と、鍋を加熱する加熱手段と、調理物の重量を検知する重量検知手段と、重量検知手段の信号をデータとして読み込み且つ加熱手段の通電を制御する制御手段と、重量検知手段の信号データを記憶すると共に米重量と水重量のデータより算出した加水比データを使用者の操作により任意に書き換え可能とした不揮発性メモリーにより構成した記憶装置と、加水比データより算出した予測重量と使用時における実重量の差を報知する重量報知手段とを設けた炊飯器とすることにより、重量報知手段の報知内容にしたがい使用者が水量を微調整することができ、常に、使用者自身の好みに合った食感のご飯を炊飯できる。
【００１１】
第２の発明は、特に、第１の発明において、記憶装置は、少なくとも１水準の米重量を使用者の操作により任意に書き換え可能としたことにより、使用者により違う米計量時の誤差によらず安定した食感のご飯を炊飯することができるとともに、通常は米のみの計量の手間を省くことができる。
【００１２】
第３の発明は、特に、第１または第２の発明において、米の種類を設定する米種設定手段を設け、記憶装置は米の種類により異なる加水比データを使用者の操作により任意に設定可能としたことにより、米の種類が異なっても好みに合った食感を実現することができる。
【００１３】
第４の発明は、特に、第１〜第３のいずれか１つの発明において、カレンダー時計と、カレンダー時計の日情報に基づいて米の含水率を演算する米含水率推定手段を設け、米含水率推定手段は通常設定している水量を補正することにより、年間を通して使用者の好みに合った食感を安定して実現することができる。
【００１４】
第５の発明は、特に、第１〜第４のいずれか１つの発明において、米計量を指示入力する米計量ボタンを有し、米計量ボタンを操作した炊飯機会のみ、計量された米量と使用者が通常設定している加水比データより算出される予測重量と実重量の差を報知するようにしたことにより、通常炊かない半端なカップ数を炊飯する特殊な時だけ、煩雑な米計量作業を行なえばよく、普段は作業の少ない便利なものとすることができる。
【００１５】
（実施の形態）
図１〜図３は、本発明の実施の形態における炊飯器を示すものである。
【００１６】
図１において、炊飯器本体１は、内部に耐熱性の高い樹脂材料で構成された保護枠２を配設し、ここに鍋３を着脱自在に収納している。前記保護枠２の上端部は炊飯器本体１の上面開口部を構成する上枠４に係合されている。保護枠２の底部外側には鍋３を誘導加熱するためのコイルよりなる加熱手段５が設けられている。保護枠２の底中心部には、センサーユニットである鍋温度検知手段６が鍋３に当接するように設けられている。調理物７の重量（実際は、鍋３とその内部に収納された米・水の重量）を検知する重量検知手段８は、鍋温度検知手段６の下部に位置し、ロードセル（図示せず）の変位により重量測定をする。
【００１７】
制御手段９は、前記鍋温度検知手段６および重量検知手段８の信号をデータとして読み込み且つ加熱手段５の通電を制御するものである。また、制御手段９は、カレンダー時計１０と、カレンダー時計１０の日情報に基づいて米の含水率を演算する米含水率推定手段１１とを有する。米含水率推定手段１１は、演算結果に基づき、通常設定している水量を補正するものである。
【００１８】
また、不揮発性メモリーにより構成した記憶装置１２は、重量検知手段８の信号データを記憶するとともに米重量と水重量のデータより算出した加水比データを使用者の操作により任意に書き換え可能としている。そして、加水比データより算出した予測重量と使用時における実重量の差は、炊飯器本体１の操作部１３における重量報知手段１４にて報知するようになっている。なお、炊飯器本体１には、鍋３の開口部を覆って上加熱手段１６を有する炊飯蓋１５が開閉自在に設けられている。
【００１９】
図２に示すように、炊飯器本体１の操作部１３には、重量報知手段１４以外に、炊飯スタートボタン１７、取消／切ボタン１８、保温ボタン１９、予約ボタン２０、１カップボタン２１、米計量ボタン２２、および米種類ボタン２３などが設けられている。
【００２０】
そして、前記米種類ボタン２３は、米の種類を設定する米種設定手段を構成するものである。この米種設定手段に関連して、前記記憶装置１２は米の種類により異なる加水比データを使用者の操作により任意に設定可能である。
【００２１】
また、米計量を指示入力する米計量ボタン２２は、米計量ボタン２２を操作した炊飯機会のみ、計量された米量と使用者が通常設定している加水比データより算出される予測重量と実重量の差を重量報知手段１４にて報知するようになっている。
【００２２】
次に、図３に基づき、本実施の形態における炊飯器の炊飯作業プロセスを説明する。
【００２３】
使用者は、まず、本体１０に電源を入れる（ＳＴ１）。そして、米種類ボタン２３にて設定する米の種類Ｋを選択した後、鍋３内に使用者が普段行なっている計量方法にて１カップ分の米を入れ、１カップボタン２１を押すと、重量検知手段８から出力される信号から算出した米重量Ｓ１が、「米種類Ｋを計量する時の１カップの重量」として記憶装置１２に記憶され、１カップデータ設定済（ＳＴ２）となる。
【００２４】
初回の炊飯を行なうとき、使用者は炊飯するカップ数の米を入れ、米計量ボタン２２を押す。この時、計量した米量が使用者にとって何カップかをＳ１の倍数と比較・算出しカップ数ｎが記憶手段１２に記憶される。次に、使用者が米を研いだ後、好みだけ水を加え水位調整した鍋３を炊飯器本体１に入れる。この時のみは、設計上の加水比より算出した重量と実重量の差を重量報知手段１４にて報知する。使用者が自分の好みにより水位調整をした後、炊飯スタートボタン１７を押して炊飯を始めると、水位調整後の米＋水の重量Ｗ１が記憶手段１２に記録され、加水比データ設定済（ＳＴ３）となる。この時、種類Ｋの米を炊飯する時の加水比（米に対する水の比）Ｒｋが以下のように計算され、記憶装置１２に記憶される。
【００２５】
Ｒｋ＝（Ｗ１−ｎ＊Ｓ１）／Ｓ１
したがって、１カップデータ設定済（ＳＴ２）で加水比データ設定済（ＳＴ３）となれば、次回以降、米種類Ｋの炊飯では、使用者は米のみの計量は行なわず、米を研ぎ、ある程度水位調整した鍋３を炊飯器本体１に入れる（ＳＴ４）と、この時の重量Ｗｃに対し、記憶装置１２内のデータＳ１およびＲｋから使用者が炊こうとするカップ数Ｎｃを推定し、ＷｃとＮｃ＊Ｓ１＊（１＋Ｒｋ）の差を重量報知手段１４にて報知する（ＳＴ５）。この報知内容に従い使用者が水量を微調整し炊飯スタートボタン１７を操作する（ＳＴ６）と、炊飯スタート（ＳＴ７）して常に使用者自身の好みに合った食感のご飯を炊飯できる。
【００２６】
なお、１カップデータと加水比データが設定済でない場合は、（ＳＴ８）〜（ＳＴ１２）を辿り、炊飯スタートとなる（ＳＴ７）。半端なカップ数ｎ．ｎの炊飯時、例えば「３．５カップ」という半端なカップ数の炊飯をしようとする時は、その時のみ、米だけを鍋３に入れ米計量ボタン２２を操作する（ＳＴ１３）。すると記憶装置１２内のデータＳ１から使用者が炊こうとする半端なカップ数Ｎｈを算出し、Ｎｈ＊Ｓ１＊（１＋Ｒｋ）と米＋水重量の差を重量報知手段１４にて報知する（ＳＴ１４）。この報知内容に従い使用者が水量を微調整し炊飯スタートとなる（ＳＴ７）。
【００２７】
以上のように、本実施の形態においては、使用者により炊飯量は異なるが、同一使用者はほぼ毎日同じ量を炊くことが多い、さらに、米計量時の誤差の出方は使用者により異なるが、同一使用者を観察した時、ほぼ毎回同じ傾向の誤差が出てくる、との事情に鑑みて、使用者自身が自分の好みに適した加水比データを炊飯器に記憶でき、かつ使用時にはその加水比データを実現できるように報知するようにしたもので、常に、使用者自身の好みに合った食感のご飯を炊飯できる炊飯器を提供するものである。すなわち、「米計量時の誤差の出方は同一使用者では毎回同じである」との事情のもと、使用者は、米のみの計量を行なわなくて済むため、米を毎回計量するという手間を省くことができ便利である。
【００２８】
また、例えば、使用者が普段やっている計量方法による“使用者にとっての１カップ”分の重量を炊飯器に“１カップ”として記憶させるなど、少なくとも１水準の米重量を使用者の操作により任意に書き換え可能としたことにより、使用者により違う米計量時の誤差によらず安定した食感のご飯を炊飯することができる。また、通常は１カップの倍数炊飯を行なうことから、鍋３内に入った米・水を合わせた重量と使用者の設定した加水比データから、炊飯を行なおうとするカップ数を判定し、使用時にはその加水比データを実現できるように報知するようにすることにより、通常は米のみの計量を省くことができるという便利な炊飯器を提供するものである。これにより、使用者には「この炊飯器は自分だけの計り方を覚えている」ということが感じられ、非常に親しみの強い、魅力的な炊飯器となる。
【００２９】
また、例えば、発芽玄米・無洗米といった使用する米の種類によって異なる加水比データを使用者自身が炊飯器に記憶でき、かつ使用時にはその加水比データを実現できるように報知するようにしたもので、米の種類が異なっても好みに合った食感を実現することができる炊飯器を提供するものである。
【００３０】
また、カレンダー時計１０の日情報に基づいて、米含水率推定手段１１が米の含水率を演算し、その演算結果により使用者の設定した加水比データに対し補正を行なうため、年間を通して使用者の好みに合った食感を安定して実現することができる炊飯器を提供するものである。
【００３１】
また、米計量を指示入力するする米計量ボタン２２を操作した炊飯機会のみ、計量された米量と使用者が通常設定している加水比データより算出される予測重量と実重量の差を報知するようにすることにより、例えば、３．５カップなど、通常炊かない半端なカップ数を炊飯する特殊な時だけ煩雑な米計量作業を行なえばよく、通常炊かない半端なカップ数を炊飯する時でも使用者自身の好みに合った食感のご飯を炊飯できるとともに、日ごろは煩雑な米計量作業のない便利なものとすることができる。
【産業上の利用可能性】
【００３２】
以上のように、本発明にかかる炊飯器は、常に、使用者自身の好みに合った食感のご飯を炊飯することが可能となるので、家庭用のみならず業務用の炊飯器等の用途にも応用できる。
【図面の簡単な説明】
【００３３】
【図１】本発明の実施の形態における炊飯器の断面図
【図２】同炊飯器における操作部の正面図
【図３】同炊飯器の炊飯作業を示すプロセス図
【符号の説明】
【００３４】
１  炊飯器本体
３  鍋
５  加熱手段
６  鍋温度検知手段
７  調理物
８  重量検知手段
９  制御手段
１０  カレンダー時計
１１  米含水率推定手段
１２  記憶手段
１４  重量報知手段
【図１】
2005131222.tif 000003
【図２】
2005131222.tif 000004
【図３】
2005131222.tif 000005